(57)【要約】【課題】  インクジェット記録ヘッドをインクジェット記録装置へ搭載する際の電気的接続の信頼性を向上させたインクジェット記録ヘッドを提供する。【解決手段】  本発明に係るインクジェット記録ヘッド１は、インクを吐出するエネルギーを発生させるエネルギー発生素子と、該エネルギー発生素子の駆動を制御するロジック回路と、を有する記録素子基板２と、インクを吐出するための電気信号を前記ロジック回路に印加する経路を形成する電気配線部材３とを有し、前記電気配線部材には第１のコンタクト端子５と第２のコンタクト端子５ｂとが配され、前記第１のコンタクト端子はインクジェット記録ヘッド駆動時に使用するコンタクト端子であって前記第１のコンタクト端子の複数からなるコンタクト端子群８を形成して配置され、前記第２のコンタクト端子はインクジェット記録ヘッド駆動時に使用しないコンタクト端子であって前記コンタクト端子群の外に配置される。【選択図】  図３
2009178864.tif 000002
【特許請求の範囲】
【請求項１】
インクを吐出するエネルギーを発生させるエネルギー発生素子と、該エネルギー発生素子の駆動を制御するロジック回路と、を有する記録素子基板と、
インクを吐出するための電気信号を前記ロジック回路に印加する経路を形成する電気配線部材と、
を有するインクジェット記録ヘッドにおいて、
前記電気配線部材には第１のコンタクト端子と第２のコンタクト端子とが配され、
前記第１のコンタクト端子はインクジェット記録ヘッド駆動時に使用するコンタクト端子であって前記第１のコンタクト端子の複数からなるコンタクト端子群を形成して配置され、前記第２のコンタクト端子はインクジェット記録ヘッド駆動時に使用しないコンタクト端子であって前記コンタクト端子群の外に配置されることを特徴とするインクジェット記録ヘッド。
【請求項２】
インクを吐出するエネルギーを発生させるエネルギー発生素子と、該エネルギー発生素子の駆動を制御するロジック回路と、を有する記録素子基板と、
インクを吐出するための電気信号を前記ロジック回路に印加する経路を形成する電気配線部材と、
を有するインクジェット記録ヘッドにおいて、
前記電気配線部材は、前記インクジェット記録へッドをインクジェット記録装置に搭載する際に当該インクジェット記録装置と電気的接続可能な位置に配置された第１のコンタクト端子と、インクジェット記録装置に搭載する際に当該インクジェット記録装置と電気的接続可能でない位置に配置された第２のコンタクト端子と、を有することを特徴とするインクジェット記録ヘッド。
【請求項３】
インクを吐出するためのエネルギーを発生させるエネルギー発生素子の駆動を制御するロジック回路にインクを吐出するための電気信号を印加する電気配線部材を備えるインクジェット記録ヘッドの製造方法において、
前記電気配線部材に配されたコンタクト端子群中のインクジェット記録ヘッド駆動時に不使用のコンタクト端子を当該コンタクト端子群の外に移し、空いた領域にインクジェット記録ヘッド駆動時に使用するコンタクト端子を設けることを特徴とするインクジェット記録ヘッドの製造方法。
【請求項４】
前記コンタクト端子群は、前記インクジェット記録へッドをインクジェット記録装置に搭載する際に当該インクジェット記録装置と電気的接続可能な位置に配置された複数のコンタクト端子からなることを特徴とする請求項３に記載のインクジェット記録ヘッドの製造方法。
【請求項５】
前記コンタクト端子群の外に移されたコンタクト端子が配置された位置は、前記インクジェット記録へッドをインクジェット記録装置に搭載する際に当該インクジェット記録装置と電気的接続可能でない位置であることを特徴とする請求項３又は４に記載のインクジェット記録ヘッドの製造方法。
【発明の詳細な説明】
【技術分野】
【０００１】
本発明は、インク等の液体を吐出して記録動作を行うインクジェット記録ヘッド及びインクジェット記録ヘッドの製造方法に関する。
【背景技術】
【０００２】
インクジェット記録装置に搭載されているインクジェット記録ヘッドには、一定量のインクを収納したインク収納部とインクジェット記録ヘッド部とが一体の形態のものがある。このようなインクジェット記録ヘッドにおいては、インク収納部のインクが無くなる度にインクジェット記録ヘッドをインクジェット記録装置のキャリッジから取り外して交換する。そのため、インクジェット記録装置とインクジェット記録ヘッドとの電気的接続に関して、非常に高い信頼性が要求される。
【０００３】
従来、インクジェット記録装置とインクジェット記録ヘッドとの電気的接続信頼性を向上させる手段としては、特許文献１で記載の方法が開示されている。即ち、インクジェット記録ヘッドがインクジェット記録装置のキャリッジの所定位置に装着されない場合には、インクジェット記録ヘッドのコンタクト端子設置面に設けられた突起状のストッパがキャリッジと当接する構成を備えるものである。このような構成により、インクジェット記録ヘッドの熱溶着部等の突出形状物がキャリッジ側のコンタクト端子を損傷することに起因する電気的接続不良等を防止している。
【特許文献１】特開平８−４８０６４号公報
【発明の開示】
【発明が解決しようとする課題】
【０００４】
しかし、上述の構成においては、コンタクト端子上に小さなゴミ等がつき、それに起因する電気的接続不良等については回避できない場合も有り得る。特に、インク吐出エネルギー発生素子の駆動制御用ロジック回路の電源ラインの接続がインクジェット記録ヘッドとインクジェット記録装置との間で正常になされなかった場合、インクジェット記録ヘッドやインクジェット記録装置を破損する場合も有り得る。そのため、ロジック回路用の接続信頼性を上げることが特に重要な課題となっている。また同時に、本課題における対策が、現在市場に出ている製品に容易に採用できる形態であることも、製品のコストを考えた際には重要である。
【０００５】
本発明は、上述した課題に鑑みてなされたものであって、インクジェット記録ヘッドをインクジェット記録装置へ搭載する際の電気的接続の信頼性を向上させたインクジェット記録ヘッドを提供することを目的とする。
【課題を解決するための手段】
【０００６】
上述の目的を解決するための本発明は、インクを吐出するエネルギーを発生させるエネルギー発生素子と、該エネルギー発生素子の駆動を制御するロジック回路と、を有する記録素子基板と、インクを吐出するための電気信号を前記ロジック回路に印加する経路を形成する電気配線部材と、を有するインクジェット記録ヘッドにおいて、前記電気配線部材には第１のコンタクト端子と第２のコンタクト端子とが配され、前記第１のコンタクト端子はインクジェット記録ヘッド駆動時に使用するコンタクト端子であって前記第１のコンタクト端子の複数からなるコンタクト端子群を形成して配置され、前記第２のコンタクト端子はインクジェット記録ヘッド駆動時に使用しないコンタクト端子であって前記コンタクト端子群の外に配置されることを特徴とする。
【発明の効果】
【０００７】
本発明によれば、インクジェット記録ヘッドへの衝撃に対しても信頼性を損なうことなく、また、製造時に接着剤が他に再転写されることのない生産性に優れたインクジェット記録ヘッドを提供することができる。
【発明を実施するための最良の形態】
【０００８】
インクジェット記録ヘッドとインクジェット記録装置の電気的接続において、最も重要なロジック回路の電源ラインにおけるコンタクト端子数を増やすことは、電気的接続の信頼性を向上させるものである。ここで、増加させる電源ラインのコンタクト端子をコンタクト端子群の外に設ける場合、増加させるコンタクト端子の接触面積を、コンタクト端子群中のコンタクト端子の接触面積と同等とすることはスペース的に非常に難しい。ここで、インクジェット記録ヘッドが駆動する際に使用しないコンタクト端子は、通常、生産工程や品質チェック時に使用されるものである。そのため、このコンタクト端子の接触面積は他の電源ライン用等のコンタクト端子の接触面積より小さくても問題はない。
【０００９】
本発明に係る実施形態のインクジェット記録ヘッドは、コンタクト端子群中のインクジェット記録ヘッド駆動時不使用のコンタクト端子をコンタクト端子群の外に移し、空いた領域にロジック回路の電源ライン用コンタクト端子を追加するものである。なお、追加するコンタクト端子は、不適切な電気的接続によってインクジェット記録装置やインクジェット記録ヘッドを損傷するおそれがあるインクジェット記録ヘッド駆動時使用のコンタクト端子であればよく、電源用コンタクト端子に限られるものではない。
【００１０】
また、インクジェット記録へッドのコンタクト端子群とは、インクジェット記録装置のへッド搭載部にインクジェット記録へッドを搭載したときに、へッド搭載部側のコンタクト端子と電気的接続可能な位置に配置された複数のコンタクト端子でもよい。従って、コンタクト端子群の外に配置されたコンタクト端子とは、上述のへッド搭載部へ搭載の際にへッド搭載部側のコンタクト端子と電気的接続ができない位置にあってもよい。
【００１１】
本実施形態の第１のコンタクト端子は、インクジェット記録ヘッド駆動時に使用するコンタクト端子や、へッド搭載部側（インクジェット記録装置側）のコンタクト端子と電気的接続可能な位置に配置されたコンタクト端子をいう。また、本実施形態の第２のコンタクト端子は、インクジェット記録ヘッド駆動時に使用しないコンタクト端子やへッド搭載部側（インクジェット記録装置側）のコンタクト端子と電気的接続可能でない位置に配置されたコンタクト端子をいう。
【００１２】
以下、図面を参照して本発明に係る実施形態を詳述する。
【００１３】
図１は、インクジェット記録ヘッド１の構成を示した斜視図である。図２は、図１のインクジェット記録ヘッド１の分解斜視図である。
【００１４】
インクジェット記録ヘッド１は、記録素子基板２、電気配線テープ３及びカートリッジ筺体４等から構成されている。また、カートリッジ筺体４の内部には、インク吸収部材に保持された液体のインクが収容されている。
【００１５】
記録素子基板２には、インクを吐出するエネルギーを発生させるエネルギー発生素子がインク吐出口と対向するように設けられている。また、エネルギー発生素子の駆動を制御するロジック回路も、記録素子基板２に形成されている。
【００１６】
電気配線部材の一形態としての電気配線テープ３は、インクを吐出するための電気信号をインクジェット記録装置からコンタクト端子５を介して記録素子基板２のロジック回路に印加する経路を形成する部材である。コンタクト端子５には、インクジェット記録装置と電気的に接続するためのロジック回路電源電圧端子であるＶＤＤコンタクト端子とロジック回路ＧＮＤ端子であるＶＳＳコンタクト端子５１とがある。
【００１７】
また、記録素子基板２の周りには、インクから記録素子基板２及び記録素子基板２に設けられた電極部を保護する周囲封止剤６及びリード封止剤７が塗布される。本実施形態においては、周囲封止剤６及びリード封止剤７は、共に熱硬化性エポキシ封止剤から成る。
【００１８】
樹脂成形によるカートリッジ筺体４には、記録素子基板２及び電気配線テープ３が実装されている。
【００１９】
図３は、電気配線テープ３のコンタクト端子群８の周辺拡大図である。ＶＳＳコンタクト端子５１は同一配線で２つ配置されており、これまでのインクジェット記録ヘッドに対し、ＶＳＳコンタクト端子５１が１つ増設されている。これによって電気的接続の信頼性は大幅にアップし、インクジェット記録装置の破損をより防止することができる。また、エネルギー発生素子である発熱抵抗素子の抵抗値を測定するためのＲＡＮＫコンタクト端子５２は、コンタクト端子群８中に配置されていない。そして、ＲＡＮＫコンタクト端子５２が配置される領域は他のコンタクト端子よりも小さい。しかしながら、インクジェット記録装置のへッド搭載部のコンタクト端子とは電気的接続を行なわず、生産時あるいは品質チェック時のみに使用するため、特に問題は生じない。
【００２０】
図４は、インクジェット記録装置のへッド搭載部としてのキャリッジのコンタクト端子群を示す模式図である。
【００２１】
キャリッジ等のへッド搭載部に設けられた電気接続部材であるコンタクトピン９は、インクジェット記録ヘッド１のコンタクト端子５にそれぞれ対応して配置され、インクジェット記録ヘッド１のコンタクト端子５に突き当たることで電気的に接続される。本実施形態において、コンタクトピン９は銅製の突起物の表面に金のメッキ処理がされている。また、コンタクトピン９は、それぞれ独立してコンタクト端子５を押すバネ力を有する。よって、２つあるＶＳＳコンタクト端子５１の一方に対応するコンタクトピン９の先端にゴミが付着して電気的接触が成されない場合にも、他方のＶＳＳコンタクト端子５１に対応して配置されている、もう一つのコンタクトピン９によって電気的接続が成される。
【００２２】
なお、本実施形態では、増設されるコンタクト端子は１つの場合であったが、コンタクト端子群８の配置スペースに同等の接触面積のコンタクト端子を配置する余裕があれば、可能な範囲内で移設されたコンタクト端子の数に制限されず増設することは可能である。また、増設対象のコンタクト端子としてＶＳＳコンタクト端子５１を用いて説明したが、ＶＤＤコンタクト端子であってもよく、インクジェット記録ヘッド駆動時使用のコンタクト端子であればよい。
【００２３】
また、移設されるコンタクト端子は、インクジェット記録ヘッドの記録時に使用されないものであれば、ＲＡＮＫコンタクト端子に限られることなく、他のコンタクト端子でも可能である。
【００２４】
また、コンタクト端子群８とは、複数のコンタクト端子５が列状に配置された端子列がさらに複数並列されて形成されたものであってもよい。コンタクト端子群８の外の位置とは、上述の端子列に含まれない位置、若しくは端子列線上であっても端子列を構成する個々のコンタクト端子間の間隔よりも大きな距離を隔てた位置であってもよい。
【図面の簡単な説明】
【００２５】
【図１】本発明に係る実施形態としてのインクジェット記録ヘッドの構成を示した斜視図である。
【図２】図１のインクジェット記録ヘッドの分解斜視図である。
【図３】電気配線テープのコンタクト端子群の周辺拡大図である。
【図４】インクジェット記録装置のキャリッジのコンタクト端子群を示す模式図である。
【符号の説明】
【００２６】
１  インクジェット記録ヘッド
２  記録素子基板
３  電気配線テープ
４  カートリッジ筺体
５  コンタクト端子
５１  ＶＳＳコンタクト端子
５２  ＲＡＮＫコンタクト端子
６  周囲封止剤
７  リード封止剤
８  コンタクト端子群
９  コンタクトピン
【図１】
2009178864.tif 000003
【図２】
2009178864.tif 000004
【図３】
2009178864.tif 000005
【図４】
2009178864.tif 000006